(57)【要約】【課題】読み出された加工データが加工機で加工できないという問題があった場合、この問題を処理する機能がないという問題があった。【解決手段】    各装置へデータを通知する投入司令部と、該投入司令部からのデータを記憶する記憶部と、該記憶部から読み出した番付けデータを通知する番付けデータ読み出し通知部と、前記記憶部から乱した加工データを通知する加工データ読み出し通知部と、前記番付けデータ読み出し通部からの番付けデータと前記加工データ読み出し通知部からの加工データの内容を登録する内容を作成する番付け管理装置の登録内容作成部と、前記管理装置の登録内容作成部からの登録内容を登録するプリンタと、該プリンタで登録印字を印字した加工材を加工する加工機とからなる。【選択図】図１
2016078365.tif 000002
【特許請求の範囲】
【請求項１】
各装置へデータを通知する投入司令部と、該投入司令部からのデータを記憶する記憶部と、該記憶部から読み出した番付けデータを通知する番付けデータ読み出し通知部と、前記記憶部から乱した加工データを通知する加工データ読み出し通知部と、前記番付けデータ読み出し通部からの番付けデータと前記加工データ読み出し通知部からの加工データの内容を登録する内容を作成する番付け管理装置の登録内容作成部と、前記管理装置の登録内容作成部からの登録内容を登録するプリンタと、該プリンタで登録印字を印字した加工材を加工する加工機とからなり、前記加工データ読み出し通知部から読み出された加工できない情報の墨付け情報を墨付け情報作成装置の墨付け情報作成部手作成し、前記番付け管理装置のプリンタへ登録する内容の作成部へ入力し、プリンタへ登録する内容の作成部から前記プリンタで登録することにより、前記プリンタで前記加工機では加工できない加工情報を印字することができることを特徴とする加工内容墨付け方式。
【発明の詳細な説明】
【技術分野】
【０００１】
本発明は、プレカット加工機で加工できる加工情報及び加工できない加工情報を加工木材に墨付けすることを特徴とすろ加工内容墨付け方式に関するものである。
【背景技術】
【０００２】
従来、図３に示すように、プレカット加工ラインとしては、投入司令部1からのデータが通知されたラインホスト装置２は、データ記憶部２ａで通知されたデータを記憶し、番付けデータ読み出し通知部２ｂで番付けデータを通知し、番付け管理装置３でラインホスト装置２の番付けデータ読み出し通知部２ｂからの番付けデータと、加工データ読み出し通知部２ｃからの加工データでプリンタ４へ登録する内容を作成し、プリンタ４の記憶部４ａで記憶する。又、ラインホスト装置２から自動的に番付管理装置４へ番付する内容を通知し、番付管理装置４が番付内容をプリンタ５へ転送し、その後、ライン加工機３で加工木材を搬送する際に、プリンタ５を制御し、ラインの自動運転において、家屋を建てる「施主の邸名」や「通り番付」のような情報を印字している。
【０００３】
しかしながら、  このように構成されたプレカット加工ラインでは、読み出された加工データがこのプレカットラインで加工できないという問題があった場合、加工テータは無視するしかなく、入力済データを無駄にしてしまうという問題があった。
【先行技術文献】
【特許文献】
【０００４】
【特許文献１】特開２０１０−２６９５７５Ｂ号公報
【発明の概要】
【発明が解決しようとする課題】
【０００５】
解決しようとする問題点は、読み出された加工データがこのプレカット加工機で加工できない場合という点である。
【課題を解決するための手段】
【０００６】
本発明は、プレカット加工ラインとして、投入司令部からのデータを通知するラインホスト装置と、ライン加工機と、番付け管理装置と、プリンタとが設けられており、又、ラインホスト装置から自動的に番付管理装置へ番付する内容を通知し、番付管理装置が番付内容をプリンタへ転送しています。その後、ライン加工機が加工木材を搬送する際に、プリンタを制御し、ラインの自動運転において、家屋を建てる「施主の邸名」や「通り番付」のような情報を印字している。
【発明の効果】
【０００７】
本発明は、このように加工データを読み出して印字加工データを変更することにより、加工できない印字加工データをラインを通過した後で加工できるようにするという利点がある。
【図面の簡単な説明】
【０００８】
【図１】図１は本発明の加工内容墨付け装置ののブロック図である。（実施例１）
【図２】図２は図１のプレカット加工機の印字システムのフローチャートである。
【図３】図３は従来の加工内容墨付け装置のブロック図である。
【発明を実施するための形態】
【０００９】
本発明は、印字加工データを変更することにより、加工できない印字加工データを加工できるようにすることを最も主要な特徴とする。
【実施例１】
【００１０】
図１は、本発明の加工内容墨付け装置のブロック図で、１は投入司令部、２はラインホスト装置、３は番付け管理装置、４はプリンタ、５は加工機であり、これらの構成は上記従来例と同じであるので、説明は省略するが、本発明では、ラインホスト装置２の加工データ読み出し通知部２ｃからの加工データのなかで、加工機５では加工できない加工データの墨付け情報作成装置６で加工できない情報の墨付け情報作成部６ａを接続する。
【００１１】
そして、印字処理を開始するために、図２に示すように、投入司令部１から各装置へデータを通知し（ステップ１）、ラインホスト装置２の記憶部２ａで投入司令部１かのデータを記憶し（ステップ２）、番付けデータからプリンタ４へ登録する内容を作成し（ステップ３）、又、記憶部２ａから加工データ読み出し通知部２ｃから墨付け情報作成装置６で加工機５で加工できない情報の墨付け情報を住み着け情報作成部６ａで作成し（ステップ５）、番付け管理装置３のプリンタ４へ登録する内容作成部３ａへ通知し、プリンタ４では、通知された内容を登録し（ステップ６）、登録された内容を印字部４ａで印字する（ステップ７）。
【００１２】
このように構成された本発明の加工内容墨付け装置では、加工データの墨付け情報作成装置６の加工できない情報の墨付け情報作成部６ａで作成された加工できない情報の墨付け情報を加工木材に墨付けすることにより、墨付けられた加工木材を検査したときに、墨付けられた文字を見ることによって、加工機５で加工できる墨付けか、加工できない墨つけかを判断することができ、加工機５で加工できない墨付けは、手加工で加工することにより、加工の洩れをなくすことができる。
【００１３】
本発明では、加工機５で加工できる加工もできない加工も併せて加工墨付け印字することができるので、精度不良や印字ミス、印字忘れ等のリスクの低減になり、複雑になったライン加工における加工抜けのチェックが容易となる。
【産業上の利用可能性】
【００１４】
本発明では、加工機５で加工できる加工もできない加工も併せて加工墨付け印字することができるので、複雑になったライン加工における加工抜けのチェックが容易となる。
【符号の説明】
【００１５】
１          投入司令部
２          ラインホスト装置
３          番付け管理装置
４          プリンタ
５          加工機
６          加工できない加工データの墨付け情報作成装置
【図１】
2016078365.tif 000003
【図２】
2016078365.tif 000004
【図３】
2016078365.tif 000005